(57)【要約】    【課題】  インテグレータロッドとして、内面で全反射するために光利用効率の良い内面全反射タイプの中実ガラスロッドを用いた場合であっても、インテグレータロッドの長さを長くすることを抑制でき、ひいては小型化の容易なプロジェクタを提供する。    【解決手段】  光源装置１１０及びインテグレータロッド１２０Ａを備えた照明装置１００Ａと、リレー光学系１４０と、マイクロミラー型変調装置４００と、投写光学系６００とを備えたプロジェクタにおいて、インテグレータロッド１２０Ａは、内面全反射タイプの中実ガラスロッドからなり、インテグレータロッド１２０Ａの光入射面側には、凸レンズ１２２Ａが配置されていることを特徴とするプロジェクタ。【選択図】  図１
2006106526.tif 000002
【特許請求の範囲】
【請求項１】
楕円面リフレクタ及び前記楕円面リフレクタの第１焦点近傍に発光中心を有する発光管を有する光源装置並びに前記楕円面リフレクタの第２焦点近傍に光入射面を有し前記光源装置からの光をより均一な強度分布を有する光に変換するインテグレータロッドを備えた照明装置と、
前記照明装置からの光を被照明領域に導くリレー光学系と、
前記リレー光学系からの光を画像情報に応じて変調する電気光学変調装置と、
前記電気光学変調装置で変調された光を投写する投写光学系とを備えたプロジェクタにおいて、
前記インテグレータロッドは、内面全反射タイプの中実ガラスロッドからなり、
前記インテグレータロッドの光入射面側には、凸レンズが配置されていることを特徴とするプロジェクタ。
【請求項２】
請求項１に記載のプロジェクタにおいて、
前記凸レンズは、球面レンズであることを特徴とするプロジェクタ。
【請求項３】
請求項２に記載のプロジェクタにおいて、
前記球面レンズの曲率中心は前記楕円面リフレクタの第２焦点近傍にあることを特徴とするプロジェクタ。
【請求項４】
請求項１〜３のいずれかに記載のプロジェクタにおいて、
前記凸レンズと前記インテグレータロッドとは、一体成形されていることを特徴とするプロジェクタ。
【請求項５】
請求項１〜３のいずれかに記載のプロジェクタにおいて、
前記凸レンズと前記インテグレータロッドとは、接着されていることを特徴とするプロジェクタ。
【請求項６】
請求項５に記載のプロジェクタにおいて、
前記凸レンズは球面レンズであるとともに、前記球面レンズの曲率中心は前記楕円面リフレクタの第２焦点近傍にあり、
前記球面レンズの照明光軸方向の厚みは、前記球面レンズの曲率半径と同じであることを特徴とするプロジェクタ。
【請求項７】
請求項１〜６のいずれかに記載のプロジェクタにおいて、
前記発光管には、前記発光管から被照明領域側に放射される光を前記楕円面リフレクタに向けて反射する補助ミラーが取り付けられていることを特徴とするプロジェクタ。
【請求項８】
請求項１〜７のいずれかに記載のプロジェクタにおいて、
前記補助ミラーは、前記発光管に対する位置調整がなされた後に前記発光管に固定されていることを特徴とするプロジェクタ。
【請求項９】
請求項１〜８のいずれかに記載のプロジェクタにおいて、
前記補助ミラーは、前記発光管における前記楕円面リフレクタの反対側の封止部に固定されていることを特徴とするプロジェクタ。
【請求項１０】
請求項１〜９のいずれかに記載のプロジェクタにおいて、
前記補助ミラーは、石英ガラスからなることを特徴とするプロジェクタ。
【請求項１１】
請求項１〜１０のいずれかに記載のプロジェクタにおいて、
前記補助ミラーの内面には、誘電体多層膜からなる反射膜が形成されていることを特徴とするプロジェクタ。
【請求項１２】
請求項１〜１１のいずれかに記載のプロジェクタにおいて、
前記電気光学変調装置は、反射型変調装置であることを特徴とするプロジェクタ。
【請求項１３】
請求項１〜１１のいずれかに記載のプロジェクタにおいて、
前記電気光学変調装置は、透過型変調装置であることを特徴とするプロジェクタ。
【請求項１４】
内面全反射タイプの中実ガラスロッドからなるインテグレータロッドと前記インテグレータロッドの光入射面側に配置された凸レンズとが一体化されていることを特徴とする光均一化光学要素。
【発明の詳細な説明】
【技術分野】
【０００１】
本発明はプロジェクタ及び光均一化光学要素に関する。 
【背景技術】
【０００２】
図１３は、従来のマイクロミラー型変調装置を備えたプロジェクタ１０００ａを説明するために示す図である。図１３（ａ）はプロジェクタ１０００ａの光学系を示す図であり、図１３（ｂ）はプロジェクタ１０００ａにおける光源装置１１０ａを示す図である。
【０００３】
従来のマイクロミラー型変調装置を備えたプロジェクタ１０００ａは、図１３（ａ）に示すように、集束光を射出する光源装置１１０ａと、光源装置１１０ａからの光をより均一な強度分布を有する光に変換するインテグレータロッド１２０ａとを備えた照明装置１００ａと、照明装置１００ａからの光を被照明領域に導くリレー光学系１４０ａと、リレー光学系１４０ａからの光を画像情報に応じて変調するマイクロミラー型変調装置４００ａと、マイクロミラー型変調装置４００ａで変調された光を投写する投写光学系６００ａとを備えている。そして、インテグレータロッド１２０ａの光入射面側にはカラーホイール１３０ａが設けられている。
【０００４】
光源装置１１０ａは、図１３（ｂ）に示すように、楕円面リフレクタ１１４ａと、楕円面リフレクタ１１４ａの第１焦点近傍に発光中心を有する発光管１１２ａとを有するとともに、楕円面リフレクタ１１４ａから射出される集束光のうち中心部の光を通過させるとともに、周辺部の光を反射することにより、該周辺部の光をその入射方向に対して逆方向に戻す反射光学系１６０をさらに有している。
【０００５】
このため、従来のマイクロミラー型変調装置を備えたプロジェクタ１０００ａによれば、反射光学系１６０の作用により、光源装置１１０ａから射出される集束光の角度を小さくすることができるため、インテグレータロッド１２０ａに入射する集束光の入射角度を小さくすることができ、照明装置における照明光の利用効率を容易に向上させることが可能となる（例えば、特許文献１参照。）。
【０００６】
【特許文献１】特開２００３−２２２８２０号公報
【発明の開示】
【発明が解決しようとする課題】
【０００７】
しかしながら、従来のマイクロミラー型変調装置を備えたプロジェクタ１０００ａにおいて、インテグレータロッド１２０ａとして、内面で全反射するために光利用効率の良い内面全反射タイプの中実ガラスロッドを用いた場合には、光源装置１１０ａからの光がインテグレータロッド１２０ａの光入射面で屈折するため、中空ガラスロッドを用いる場合よりも浅い角度で全反射しながらインテグレータロッド中を光射出面に向けて進行することになる。
【０００８】
このため、反射光学系１６０の作用によりインテグレータロッド１２０ａへの入射角が小さくなるのに加えて、インテグレータロッド１２０ａの光入射面における屈折によりインテグレータロッド１２０ａへの入射角がさらに小さくなるため、インテグレータロッド１２０ａに入射した光がさらに浅い角度で全反射しながら光射出面に向けて進行するようになり、インテグレータロッド１２０ａにおける光均一化効果がさらに弱められる。その結果、所定の光均一化効果を得るためには、インテグレータロッドの長さを長くする必要が生じてしまうという問題があった。また、その結果、プロジェクタを小型化することが容易ではなくなるという問題があった。
【０００９】
なお、上記した問題は、マイクロミラー型変調装置を備えたプロジェクタに生ずる問題であるが、このような問題は、液晶装置その他の電気光学変調装置を用いた場合にも同様に生ずる問題でもある。
【００１０】
そこで、本発明は、このような問題を解決するためになされたもので、マイクロミラー型変調装置や液晶装置のような電気光学変調装置を備えたプロジェクタにおいて、インテグレータロッドとして、内面で全反射するために光利用効率のよい内面全反射タイプの中実ガラスロッドを用いた場合であっても、インテグレータロッドの長さを長くすることを抑制でき、ひいては小型化の容易なプロジェクタを提供することを目的とする。また、そのように優れたプロジェクタに好適に用いることができる光均一化光学要素を提供することを目的とする。
【課題を解決するための手段】
【００１１】
本発明のプロジェクタは、楕円面リフレクタ及び前記楕円面リフレクタの第１焦点近傍に発光中心を有する発光管を有する光源装置並びに前記楕円面リフレクタの第２焦点近傍に光入射面を有し前記光源装置からの光をより均一な強度分布を有する光に変換するインテグレータロッドを備えた照明装置と、前記照明装置からの光を被照明領域に導くリレー光学系と、前記リレー光学系からの光を画像情報に応じて変調する電気光学変調装置と、前記電気光学変調装置で変調された光を投写する投写光学系とを備えたプロジェクタにおいて、前記インテグレータロッドは、内面全反射タイプの中実ガラスロッドからなり、前記インテグレータロッドの光入射面側には、凸レンズが配置されていることを特徴とする。
【００１２】
このため、本発明のプロジェクタによれば、インテグレータロッドの光入射面側には、凸レンズが配置されているため、光源装置からの光がインテグレータロッドの光入射面で屈折するのが抑制される。このため、凸レンズが配置されていない場合よりも深い角度で全反射しながらインテグレータロッド中を光射出面に向けて進行することになる。その結果、インテグレータロッドにおける光均一化効果が弱められることが抑制され、所定の光均一化効果を得るためにインテグレータロッドの長さを長くする必要がなくなる。また、その結果、プロジェクタを小型化することが容易になる。
【００１３】
本発明のプロジェクタにおいては、前記凸レンズは、球面レンズであることが好ましい。
【００１４】
このように構成することにより、光源装置からの集束光は、球面レンズの表面でほとんど屈折しなくなるため、インテグレータロッドとして中空ロッドを用いた場合と同様の深い角度で全反射しながらインテグレータロッド中を光射出面に向けて進行するようになる。
この場合、前記球面レンズの曲率中心は前記楕円面リフレクタの第２焦点近傍にあることがさらに好ましい。
【００１５】
本発明のプロジェクタにおいては、前記凸レンズと前記インテグレータロッドとは、一体成形されていることが好ましい。
【００１６】
このように構成することにより、凸レンズとインテグレータロッドとの間における望ましくない多重反射が抑制され、光利用効率が低下したり迷光レベルが増加したりすることがなくなる。この場合、インテグレータロッドは、直方体形状のロッドの一方の端部を球面加工することにより製造することもできるし、ガラス棒の一方の先端を凸レンズ加工した後に、他の５面を平面研削・研磨することにより製造することもできる。
【００１７】
本発明のプロジェクタにおいては、前記凸レンズと前記インテグレータロッドとは、接着されていることが好ましい。
【００１８】
このように構成することによっても、凸レンズとインテグレータロッドとの間における望ましくない多重反射が抑制され、光利用効率が低下したり迷光レベルが増加したりすることがなくなる。また、凸レンズとインテグレータロッドとを容易に一体化することができる。この場合、凸レンズ及びインテグレータロッドとほぼ同じ屈折率を有する接着剤を用いることがさらに好ましい。
また、上記した本発明のプロジェクタにおいては、前記凸レンズは球面レンズであるとともに、前記球面レンズの曲率中心は前記楕円面リフレクタの第２焦点近傍にあり、前記球面レンズの照明光軸方向の厚みは、前記球面レンズの曲率半径と同じであることがさらに好ましい。
【００１９】
本発明のプロジェクタにおいては、前記発光管には、前記発光管から被照明領域側に放射される光を前記楕円面リフレクタに向けて反射する補助ミラーが取り付けられていることが好ましい。
【００２０】
このように構成することにより、発光管には上記した反射光学系としての補助ミラーが取り付けられているため、光源装置から射出される集束光の角度を小さくすることができる。このため、インテグレータロッドに入射する集束光の入射角度を小さくすることができ、照明装置における照明光の利用効率を容易に向上させることが可能となる。なお、この場合、インテグレータロッドの光入射面側には凸レンズが配置されているため、所定の光均一化効果が得られ、インテグレータロッドの長さを必要以上に長くすることもない。
【００２１】
また、発光管には上記した反射光学系としての補助ミラーが取り付けられているため、発光管毎に、管球の形状・大きさ、電極の配置位置、発光中心の位置などに無視できない程のばらつきがあったとしても、これらのばらつき具合に応じて、発光管に対する補助ミラーの取り付け位置を調整することにより、上記したばらつきを吸収することができるようになる。その結果、本発明のプロジェクタは、光源装置に、発光管からの光の一部を楕円面リフレクタに向けて反射する反射光学系を設けた場合であっても、光利用効率が低下したり迷光レベルが増加したりすることのないプロジェクタとなる。
【００２２】
本発明のプロジェクタにおいては、前記補助ミラーは、前記発光管に対する位置調整がなされた後に前記発光管に固定されていることが好ましい。
【００２３】
このように構成することにより、発光管に対する補助ミラーの取り付け位置を調整して、上記したばらつきを調整した後、補助ミラーが発光管に固定されることになるため、固定後の補助ミラーは発光管から被照明領域側に放射された光を常に正しく発光管の発光部に向けて反射するようになる。その後、発光管の発光部を通過した光は、楕円面リフレクタで反射されてインテグレータロッドの光入射面に正しく到達するため、光利用効率が低下したり迷光レベルが増加したりすることがなくなる。
【００２４】
また、本発明のプロジェクタにおいては、前記補助ミラーは、前記発光管における前記楕円面リフレクタの反対側の封止部に固定されていることが好ましい。
【００２５】
このように構成することにより、発光管に対して補助ミラーの位置調整を行い、その後発光管に対して補助ミラーを固定する作業を容易に行うことができるようになる。
【００２６】
また、本発明のプロジェクタにおいては、前記補助ミラーは、石英ガラスからなることが好ましい。
【００２７】
本発明のプロジェクタにおいては、補助ミラーは、発光管に極めて近接して配置されるため、極めて高温の環境下に置かれることになる。しかしながら、本発明のプロジェクタのように、熱膨張係数が低く耐熱性に優れる石英ガラスで補助ミラーを構成することによって、熱による光学特性の劣化が抑制されるようになる。
【００２８】
また、本発明のプロジェクタにおいては、前記補助ミラーの内面には、誘電体多層膜からなる反射膜が形成されていることが好ましい。
【００２９】
上記したように、本発明のプロジェクタにおいては、補助ミラーは、発光管に極めて近接して配置されるため、極めて高温の環境下に置かれることになる。しかしながら、本発明のプロジェクタのように、熱膨張係数が低く耐熱性に優れる誘電体多層膜で反射膜を構成することにより、熱による反射特性の劣化が抑制されるようになる。
【００３０】
本発明のプロジェクタにおいては、補助ミラーの反射膜としては、赤外線透過性の反射膜とすることが好ましい。このように構成することにより、発光管から放射されて補助ミラーに到達する赤外線はそのまま補助ミラーを透過するため、補助ミラーの温度上昇が抑制されるようになる。
【００３１】
これらの観点からは、誘電体多層膜として、低屈折誘電体としてのＳｉＯ２と、高光屈折率誘電体としてのＴｉＯ２及び／又はＴａ２Ｏ５とからなる誘電体多層膜を用いることが好ましい。
【００３２】
本発明のプロジェクタにおいては、前記電気光学変調装置は、反射型変調装置であってもよいし、透過型変調装置であってもよい。
【００３３】
本発明の光均一化光学要素は、内面全反射タイプの中実ガラスロッドからなるインテグレータロッドと前記インテグレータロッドの光入射面側に配置された凸レンズとが一体化されていることを特徴とする。
【００３４】
このため、プロジェクタの光均一化光学要素として、本発明の光均一化光学要素を用いることにより、所定の光均一化効果を得るためにインテグレータロッドの長さを長くする必要がなくなる。また、その結果、プロジェクタを小型化することが容易になる。
【００３５】
本発明の光均一化光学要素としては、インテグレータロッドと凸レンズとが接着された光均一化光学要素や、インテグレータロッドと凸レンズとが一体成形された光均一化光学要素を好ましく用いることができる。
【発明を実施するための最良の形態】
【００３６】
以下、本発明のプロジェクタについて、図に示す実施の形態に基づいて説明する。
【００３７】
〔実施形態１〕
図１は、実施形態１に係るプロジェクタ１０００Ａを説明するために示す図である。図１（ａ）はプロジェクタ１０００Ａの光学系を上面から見た図であり、図１（ｂ）はプロジェクタ１０００Ａの光学系を側面から見た図であり、図１（ｃ）はインテグレータロッド１２０Ａの光入射面を照明光軸に沿って見た図であり、図１（ｄ）はインテグレータロッド１２０Ａの光射出面を照明光軸に沿って見た図であり、図１（ｅ）はカラーホイール１３０を照明光軸に沿って見た図であり、図１（ｆ）はカラーホイール１３０を通過する照明光束を照明光軸に沿って見た図であり、図１（ｇ）は反射型変調装置であるマイクロミラー型変調装置４００に照射される照明光束を示す図である。
【００３８】
なお、以下の説明においては、互いに直交する３つの方向をそれぞれｚ軸方向（図１（ａ）における照明光軸１００Ａａｘ方向）、ｘ軸方向（図１（ａ）における紙面に平行かつｚ軸に直交する方向）及びｙ軸方向（図１（ａ）における紙面に垂直かつｚ軸に直交する方向）とする。
【００３９】
実施形態１に係るプロジェクタ１０００Ａは、図１（ａ）及び図１（ｂ）に示すように、集束光を射出する光源装置１１０及び光源装置１１０からの光をより均一な強度分布を有する光に変換するインテグレータロッド１２０Ａを備えた照明装置１００Ａと、照明装置１００Ａからの光を被照明領域に導くリレー光学系１４０と、リレー光学系１４０からの光を画像情報に応じて変調するマイクロミラー型変調装置４００と、マイクロミラー型変調装置４００で変調された光を投写する投写光学系６００とを備えている。
【００４０】
光源装置１１０は、図１（ａ）及び図１（ｂ）に示すように、楕円面リフレクタ１１４と、楕円面リフレクタ１１４の第１焦点近傍に発光中心を有する発光管１１２とを有している。そして、発光管１１２には、発光管１１２から被照明領域側に放射される光を楕円面リフレクタ１１４に向けて反射する反射光学系としての補助ミラー１１６が取り付けられている。光源装置１１０は、インテグレータロッド１２０Ａの光入射面近傍で集束する集束光を射出する。
【００４１】
インテグレータロッド１２０Ａの光射出面の形状は、照明領域の輪郭形状が被照射領域の輪郭形状に相似となるような形状とすることが好ましい。例えば、被照射領域の輪郭形状が矩形形状であれば、インテグレータロッド１２０Ａの光射出面の輪郭形状をこれに相似な略矩形形状とすることが好ましい。ただし、光源装置１１０の中心軸はマイクロミラー型変調装置４００の中心軸に対して傾斜して配置されているので、被照射領域を照明する実際の照明領域は、この傾斜に応じて歪んだ輪郭形状を有することになる。従って、このような場合においては、インテグレータロッド１２０Ａの光射出面の形状としては、照明領域の輪郭の歪みを補正するような形状とすることがより好ましい。
インテグレータロッド１２０Ａに入射した光は、インテグレータロッド１２０Ａの内面で反射を繰り返しながらインテグレータロッド１２０Ａ内を通過する。これにより、インテグレータロッド１２０Ａは、光源装置１１０から射出された照度分布が一様でない光を、光射出面において照度分布を一様にすることが可能となる。
【００４２】
インテグレータロッド１２０Ａの光射出面側にはカラーホイール１３０が設けられている。このカラーホイール１３０は、図１（ｅ）に示すように、赤、緑及び青のカラーフィルタが渦巻き状に配置された構造を有している。なお、カラーホイール１３０は省略することも可能であり、この場合に投写される画像はモノクロ画像となる。
【００４３】
リレー光学系１４０は、インテグレータロッド１２０Ａの光射出面の像をマイクロミラー型変調装置４００の画像形成領域上で結像させる機能を有している。なお、図１（ａ）に示されるリレーレンズ１４２は１枚のレンズで構成されているが、複数のレンズを組み合わせた複合レンズにより構成してもよい。
【００４４】
マイクロミラー型変調装置４００は、リレー光学系１４０からの光を画像信号（画像情報）に応じて各画素に対応するマイクロミラーで反射することにより、画像を表す画像光を投写光学系６００へ射出する機能を有する反射方向制御型光変調装置である。マイクロミラー型変調装置４００から射出される画像光は、投写光学系６００を介してスクリーンＳＣＲなどの投写面上に投写される。これにより、画像光の表す画像が投写表示される。
マイクロミラー型変調装置４００と投写光学系６００とは、それぞれの中心軸が一致するように配置されている。なお、実施形態１に係るプロジェクタ１０００Ａをあおり投写の構成を有するプロジェクタとする場合には、マイクロミラー型変調装置４００の中心軸に対して投写光学系６００の投写光軸６００ａｘがあおり方向にずれるように構成することが好ましい。
【００４５】
光源装置１１０から射出された照明光束は、インテグレータロッド１２０Ａの光入射面においては、図１（ｃ）に示すように、断面が円形の照明光束Ｂｉとなり、インテグレータロッド１２０Ａの光射出面においては、図１（ｄ）に示すように、断面が長方形の照明光束Ｂｏとなる。そして、この照明光束Ｂｏは、図１（ｅ）に示すように、カラーホイール１３０を通過することにより、図１（ｆ）に示すような、赤、緑及び青の３色の成分を含む照明光束Ｂｗとなる。そして、この照明光束Ｂｗは、図１（ｇ）に示すように、リレー光学系１４０によって拡大されてマイクロミラー型変調装置４００の画像形成領域上に照射される。
【００４６】
インテグレータロッド１２０Ａは、内面全反射タイプの中実ガラスロッドからなり、インテグレータロッド１２０Ａの光入射面側には、凸レンズ１２２Ａが配置されている。そして、インテグレータロッド１２０Ａと凸レンズ１２２Ａとで光均一化光学要素１２４Ａが構成されている。
【００４７】
ここで、実施形態１に係るプロジェクタ１０００Ａの効果を、比較例に係るプロジェクタ１０００ｂ（図示せず。）の場合と比較することにより説明する。
図２は、実施形態１に係るプロジェクタ１０００Ａにおける照明装置１００Ａを説明するために示す図である。図２（ａ）は照明装置１００Ａを上面から見た図であり、図２（ｂ）はそれに発光中心から放射される照明光を加えた図である。
図３は、比較例に係るプロジェクタにおける照明装置１００ｂを説明するために示す図である。図３（ａ）は照明装置１００ｂを上面から見た図であり、図３（ｂ）はそれに発光中心から放射される照明光を加えた図である。
【００４８】
まず、比較例に係るプロジェクタ１０００ｂの問題点について説明する。比較例に係るプロジェクタ１０００ｂは、実施形態１に係るプロジェクタ１０００Ａとは照明装置の構成が異なっている。すなわち、実施形態１に係るプロジェクタ１０００Ａは、図２に示すように、インテグレータロッド１２０Ａの光入射面側に凸レンズ１２２Ａが配置されているのに対し、比較例に係るプロジェクタ１０００ｂは、図３に示すように、凸レンズが配置されていない。このため、比較例に係るプロジェクタ１０００ｂにおいては、光源装置１１０からの光は、インテグレータロッド１２０ｂに入射する際にその光入射面で屈折するため、インテグレータロッド１２０ｂに入射した光はより浅い角度で光射出面に向けて進行するようになる。その結果、十分な光均一化効果を実現するには、図３に示すように、インテグレータロッドの長さをより長くする必要が生じることとなる。
【００４９】
これに対し、実施形態１に係るプロジェクタ１０００Ａによれば、インテグレータロッド１２０Ａの光入射面側には、凸レンズ１２２Ａが配置されているため、光源装置１１０からの光がインテグレータロッド１２０Ａの光入射面で屈折するのが抑制される。このため、図２に示すように、光源装置１１０からの光が角度を変えずにインテグレータロッド１２０Ａに入射して、その深い角度で全反射しながらインテグレータロッド１２０Ａ中を光射出面に向けて進行することになる。その結果、インテグレータロッドにおける光均一化効果が弱められることが抑制され、所定の光均一化効果を得るためにインテグレータロッドの長さを長くする必要がなくなる。また、その結果、プロジェクタを小型化することが容易になる。
【００５０】
実施形態１に係るプロジェクタ１０００Ａにおいては、凸レンズ１２２Ａは球面レンズである。このため、光源装置１１０からの集束光は、凸レンズ１２２Ａの表面でほとんど屈折しなくなるため、インテグレータロッドとして中空ロッドを用いた場合と同様の深い角度で全反射しながらインテグレータロッド１２０Ａ中を光射出面に向けて進行するようになる。なお。凸レンズ１２２Ａの曲率中心は楕円面リフレクタ１１４の第２焦点近傍にあることがさらに好ましい。
【００５１】
実施形態１に係るプロジェクタ１０００Ａにおいては、凸レンズ１２２Ａとインテグレータロッド１２０Ａとは、接着されている。このため、凸レンズ１２２Ａとインテグレータロッド１２０Ａとの間における望ましくない多重反射が抑制され、光利用効率が低下したり迷光レベルが増加したりすることがなくなる。また、凸レンズ１２２Ａとインテグレータロッド１２０Ａとを容易に一体化することができる。この場合、凸レンズ１２２Ａ及びインテグレータロッド１２０Ａとほぼ同じ屈折率を有する接着剤を用いることが好ましい。接着剤としては、耐熱性接着剤を用いることが好ましい。
なお、実施形態１に係るプロジェクタ１０００Ａにおいては、凸レンズ１２２Ａの照明光軸１００Ａａｘ方向の厚みは、凸レンズ１２２Ａの曲率半径と同じであることがさらに好ましい。
【００５２】
実施形態１に係るプロジェクタ１０００Ａにおいては、発光管１１２には、発光管１１２から被照明領域側に放射される光を楕円面リフレクタ１１４に向けて反射する補助ミラー１６６が取り付けられている。
【００５３】
このため、光源装置１１２から射出される集束光の角度を小さくすることができる。このため、インテグレータロッド１２０Ａに入射する集束光の入射角度を小さくすることができ、照明装置１００Ａにおける照明光の利用効率を容易に向上させることが可能となる。なお、この場合、インテグレータロッド１２０Ａの光入射面側には凸レンズ１２２Ａが配置されているため、所定の光均一化効果が得られ、インテグレータロッドの長さを必要以上に長くすることもない。
【００５４】
また、発光管１１２は中央部に膨出した管球部と管球部から両側に延びる封止部とを有し、発光管１１２の一方側の封止部には楕円面リフレクタ１１４が取り付けられ、他方側の封止部には補助ミラー１１６が取り付けられている。
このため、発光管１１２毎に、管球の形状・大きさ、電極の配置位置、発光中心の位置などに無視できない程のばらつきがあったとしても、これらのばらつき具合に応じて、発光管１１２に対する補助ミラー１１６の取り付け位置を調整することにより、上記したばらつきを吸収することができるようになる。その結果、実施形態１に係るプロジェクタ１０００Ａは、発光管に反射光学系としての反射膜を設けたプロジェクタと比較して、光利用効率が低下したり迷光レベルが増加したりすることのないプロジェクタとなる。
【００５５】
また、光源装置１１０Ａから射出される集束光の角度を小さくすることができるため、インテグレータロッド１２０Ａに入射する集束光の入射角度を小さくすることができる。その結果、インテグレータロッド１２０Ａから射出する光の射出角度を小さくすることができ、カラーホイール１３０における各カラーフィルタの境界の、マイクロミラー型変調装置４００の画像形成領域上での像のぼけが軽減され、色再現性が向上する。
【００５６】
実施形態１に係るプロジェクタ１０００Ａにおいては、補助ミラー１１６は、発光管１１２に対する位置調整がなされた後に発光管１１２に固定されている。
【００５７】
このため、発光管１１２に対する補助ミラー１１６の取り付け位置を調整して、上記したばらつきを調整した後、補助ミラー１１６が発光管１１２に固定されることになるため、固定後の補助ミラー１１６は発光管１１２から被照明領域側に放射された光を常に正しく発光管１１２の発光部に向けて反射するようになる。その後、発光管１１２の発光部を通過した光は、楕円面リフレクタ１１４で反射されてインテグレータロッド１２０Ａの光入射面に正しく到達するため、光利用効率が低下したり迷光レベルが増加したりすることがなくなる。
【００５８】
実施形態１に係るプロジェクタ１０００Ａにおいては、発光管１１２は中央部に膨出した管球部と管球部から両側に延びる封止部とを有し、楕円面リフレクタ１１４は、発光管１１２の一方側の封止部に取り付けられ、補助ミラー１１６は、発光管１１２における楕円面リフレクタ１１４の反対側の他方側の封止部に固定されている。
【００５９】
このため、発光管１１２に対して補助ミラー１１６の位置調整を行い、その後発光管１１２に対して補助ミラー１１６を固定する作業を容易に行うことができるようになる。
【００６０】
実施形態１に係るプロジェクタ１０００Ａにおいては、補助ミラー１１６は、石英ガラスからなる。そして、補助ミラー１１６の内面には、誘電体多層膜からなる反射膜が形成されている。
【００６１】
補助ミラー１１６は、発光管１１２に極めて近接して配置されるため、極めて高温の環境下に置かれることになる。しかしながら、実施形態１に係るプロジェクタ１０００Ａのように、熱膨張係数が低く耐熱性に優れる石英ガラスで補助ミラーを構成することによって、熱による光学特性の劣化が抑制されるようになる。また、熱膨張係数が低く耐熱性に優れる誘電体多層膜で反射膜を構成することによって、熱による反射特性の劣化が抑制されるようになる。
【００６２】
実施形態１に係るプロジェクタ１０００Ａにおいては、補助ミラー１１６の反射膜として、赤外線透過性の反射膜を用いている。このため、発光管１１２から放射されて補助ミラー１１６に到達する赤外線はそのまま補助ミラー１１６を透過するため、補助ミラー１１６の温度上昇が抑制されるようになる。
このため、実施形態１に係るプロジェクタ１０００Ａにおいては、誘電体多層膜として、低屈折誘電体としてのＳｉＯ２と、高屈折率誘電体としてのＴｉＯ２及び／又はＴａ２Ｏ５とからなる誘電体多層膜を用いることとしている。
【００６３】
〔実施形態２〕
図４は、実施形態２に係るプロジェクタ１０００Ｂにおける照明装置１００Ｂを説明するために示す図である。図４（ａ）は照明装置１００Ｂを上面から見た図であり、図４（ｂ）はそれに発光中心から放射される照明光を加えた図である。
【００６４】
実施形態２に係るプロジェクタ１０００Ｂ（図示せず。）は、基本的には実施形態１に係るプロジェクタ１０００Ａと同様の構成を有しているが、図４に示すように、光均一化光学要素の構成が異なっている。
すなわち、実施形態２に係るプロジェクタ１０００Ｂにおいては、光均一化光学要素として、インテグレータロッド１２０Ｂと凸レンズ１２２Ｂとが一体成形された光均一化光学要素１２４Ｂを用いている。
【００６５】
このように、実施形態２に係るプロジェクタ１０００Ｂは、実施形態１に係るプロジェクタ１０００Ａとは、光均一化光学要素の構成が異なっているが、インテグレータロッド１２０Ｂの光入射面側に凸レンズ１２２Ｂが配置された光均一化光学要素１２４Ｂを有しているため、実施形態１に係るプロジェクタ１０００Ａの場合と同様に、光源装置１１０からの光がインテグレータロッド１２０Ｂの光入射面で屈折するのが抑制される。このため、図４に示すように、光源装置１１０からの光が角度を変えずにインテグレータロッド１２０Ｂに入射して、その深い角度で全反射しながらインテグレータロッド１２０Ｂ中を光射出面に向けて進行することになる。その結果、インテグレータロッドにおける光均一化効果が弱められることが抑制され、所定の光均一化効果を得るためにインテグレータロッドの長さを長くする必要がなくなる。また、その結果、プロジェクタを小型化することが容易になる。
【００６６】
また、実施形態２に係るプロジェクタ１０００Ｂにおいては、凸レンズ１２２Ｂとインテグレータロッド１２０Ｂとが一体成形された光均一化光学要素１２４Ｂを用いているため、凸レンズ１２２Ｂとインテグレータロッド１２０Ｂとの間における望ましくない多重反射が抑制され、光利用効率が低下したり迷光レベルが増加したりすることがなくなる。
光均一化光学要素１２４Ｂは、直方体形状のロッドの一方の端部を球面加工することにより製造することもできるし、ガラス棒の一方の先端を凸レンズ加工した後に、他の５面を平面研削・研磨することにより製造することもできる。
【００６７】
実施形態２に係るプロジェクタ１０００Ｂにおいては、凸レンズ１２２Ｂは球面レンズである。このため、光源装置１１０からの集束光は、凸レンズ１２２Ｂの表面でほとんど屈折しなくなるため、インテグレータロッドとして中空ロッドを用いた場合と同様の深い角度で全反射しながらインテグレータロッド１２０Ｂ中を光射出面に向けて進行するようになる。なお。凸レンズ１２２Ｂの曲率中心は楕円面リフレクタ１１４の第２焦点近傍にあることがさらに好ましい。
【００６８】
〔実施形態３〕
図５は、実施形態３に係るプロジェクタ１０００Ｃを説明するために示す図である。図５（ａ）はプロジェクタ１０００Ｃを上面から見た図であり、図５（ｂ）はプロジェクタ１０００Ｃを側面から見た図である。
【００６９】
実施形態３に係るプロジェクタ１０００Ｃは、基本的には実施形態１に係るプロジェクタ１０００Ａと同様の構成を有しているが、図５に示すように、電気光学変調装置の構成が異なっている。
すなわち、実施形態３に係るプロジェクタ１０００Ｃにおいては、電気光学変調装置として、透過型変調装置である液晶装置４１０を用いている。
【００７０】
このように、実施形態３に係るプロジェクタ１０００Ｃは、実施形態１に係るプロジェクタ１０００Ａとは、電気光学変調装置の構成が異なっているが、インテグレータロッド１２０Ａの光入射面側には凸レンズ１２２Ａが配置されているため、実施形態１に係るプロジェクタ１０００Ａの場合と同様に、光源装置１１０からの光がインテグレータロッド１２０Ａの光入射面で屈折するのが抑制される。このため、光源装置１１０からの光が角度を変えずにインテグレータロッド１２０Ａに入射して、その深い角度で全反射しながらインテグレータロッド１２０Ａ中を光射出面に向けて進行することになる。その結果、インテグレータロッドにおける光均一化効果が弱められることが抑制され、所定の光均一化効果を得るためにインテグレータロッドの長さを長くする必要がなくなる。また、その結果、プロジェクタを小型化することが容易になる。
【００７１】
〔実施形態４〕
図６は、実施形態４に係るプロジェクタ１０００Ｄを説明するために示す図である。図６（ａ）はプロジェクタ１０００Ｄを上面から見た図であり、図６（ｂ）はプロジェクタ１０００Ｄを側面から見た図である。
【００７２】
実施形態４に係るプロジェクタ１０００Ｄは、基本的には実施形態３に係るプロジェクタ１０００Ｃと同様の構成を有しているが、図６に示すように、電気光学変調装置としての液晶装置の数（及びそれに伴って色分離光学系及び色合成光学系をさらに備えた点）が異なっている。
すなわち、実施形態４に係るプロジェクタ１０００Ｄにおいては、電気光学変調装置として、３枚の液晶装置４１０Ｒ，４１０Ｇ，４１０Ｂ（及びそれに伴って色分離光学系７００及び色合成光学系としてのクロスダイクロイックプリズム５００）を備えている。
【００７３】
このように、実施形態４に係るプロジェクタ１０００Ｄは、実施形態３に係るプロジェクタ１０００Ｃとは、電気光学変調装置としての液晶装置の数（及びそれに伴って色分離光学系及び色合成光学系をさらに備えた点）が異なっているが、インテグレータロッド１２０Ａの光入射面側には凸レンズ１２２Ａが配置されているため、実施形態３に係るプロジェクタ１０００Ｃの場合と同様に、光源装置１１０からの光がインテグレータロッド１２０Ａの光入射面で屈折するのが抑制される。このため、光源装置１１０からの光が角度を変えずにインテグレータロッド１２０Ａに入射して、その深い角度で全反射しながらインテグレータロッド１２０Ａ中を光射出面に向けて進行することになる。その結果、インテグレータロッドにおける光均一化効果が弱められることが抑制され、所定の光均一化効果を得るためにインテグレータロッドの長さを長くする必要がなくなる。また、その結果、プロジェクタを小型化することが容易になる。
【００７４】
〔実施形態５〕
実施形態５は、補助ミラーが発光管に対してどのように取り付けられているかを説明するための実施形態である。
図７は、実施形態５に係るプロジェクタに用いる光源装置１１０Ｄの断面図である。図８は、光源装置１１０Ｄにおける発光管１１２Ｄと補助ミラー１１６Ｄとを説明するために示す図である。図９は、補助ミラー１１６Ｄを説明するために示す図である。図９（ａ）は補助ミラー１１６Ｄを光源光軸１１０Ｄａｘに沿って見たときの図であり、図９（ｂ）は図９（ａ）のＡ−Ａ断面図である。
【００７５】
図１０は、発光管１１２Ｄに対して補助ミラー１１６Ｄがどのように取り付けられているかを示す図である。図１０（ａ）は図８における光源光軸１１０Ｄａｘに沿った一部断面図であり、図１０（ｂ）は変形例の場合の一部断面図である。図１１は、発光管１１２Ｄに対して補助ミラー１１６Ｄがどのように取り付けられているかを示す図である。図１１（ａ）は図８における光源光軸１１０Ｄａｘに沿った一部断面図であり、図１１（ｂ）は図１１（ａ）のＢ−Ｂ断面図である。図１２は、発光管１１２Ｄに対して補助ミラー１１６Ｄがどのように取り付けられているかを示す図である。図１２（ａ）は図１１（ａ）の変形例の場合の一部断面図であり、図１２（ｂ）は図１２（ａ）のＣ−Ｃ断面図である。
【００７６】
まず、実施形態５に係るプロジェクタ１０００Ｅ（図示せず。）に用いる光源装置１１０Ｄの構成を説明する。実施形態５に係るプロジェクタ１０００Ｅは、基本的には実施形態１に係るプロジェクタ１０００Ａと同様の構成を有している。
光源装置１１０Ｄは、図７に示すように、楕円面リフレクタ１１４Ｄの内部に発光管１１２Ｄが配置されている。なお、実施形態５においては、光源装置１１０Ｄの光射出方向を先端側とし、光源装置１１０Ｄの光射出方向と反対方向を基端側として示す。
【００７７】
発光管１１２Ｄは、中央部が球状に膨出した石英ガラス管から構成され、中央部分が発光部１１２Ｄ１とされ、この発光部１１２Ｄ１の前側及び後側の両側に延びる部分が封止部１１２Ｄ２，１１２Ｄ３とされる。
発光部１１２Ｄ１の内部には、内部に所定距離だけ離間して配置される一対のタングステン製の電極１１２Ｄ４，１１２Ｄ４と、水銀、希ガス及び少量のハロゲンとが封入されている。
【００７８】
発光部１１２Ｄ１の前側及び後側の両側に延出する封止部１１２Ｄ２，１１２Ｄ３の内部には、発光部１１２Ｄ１の電極１１２Ｄ４，１１２Ｄ４と電気的に接続されるモリブデン製の金属箔１１２Ｄ５，１１２Ｄ５がそれぞれ挿入され、ガラス材料等で封止されている。各金属箔１１２Ｄ５，１１２Ｄ５には、さらに電極引出線としてのリード線１１２Ｄ６，１１２Ｄ６が接続され、このリード線１１２Ｄ６，１１２Ｄ６は、発光管１１２Ｄの外部まで延出している。
そして、リード線１１２Ｄ６，１１２Ｄ６に電圧を印加すると、図８に示すように、金属箔１１２Ｄ５，１１２Ｄ５を介して電極１１２Ｄ４，１１２Ｄ４間に電位差が生じて放電が生じ、アーク像Ｄが生成し発光部１１２Ｄ１が発光する。
【００７９】
楕円面リフレクタ１１４Ｄは、図７に示すように、発光管１１２Ｄの基端側の封止部１１２Ｄ２が挿通される首状部１１４Ｄ１及びこの首状部１１４Ｄ１から拡がる楕円面状の反射部１１４Ｄ２を備えたガラス製の一体成形品である。
首状部１１４Ｄ１には、中央に挿入孔１１３が形成されており、この挿入孔１１３の中心に封止部１１２Ｄ２が配置される。
反射部１１４Ｄ２は、楕円面状のガラス面に金属薄膜を蒸着形成して構成され、この反射部１１４Ｄ２の反射面１１４Ｄ３は、可視光を反射して赤外線及び紫外線を透過するコールドミラーとされる。
楕円面リフレクタ１１４Ｄの反射面１１４Ｄ３は第１焦点Ｌ１及び第２焦点Ｌ２を有する楕円面であり、光源光軸１１０Ｄａｘ上に第１焦点Ｌ１及び第２焦点Ｌ２が配置されている。
【００８０】
このような楕円面リフレクタ１１４Ｄの反射部１１４Ｄ２内部に配置される発光管１１２Ｄは、発光部１１２Ｄ１内の電極１１２Ｄ４，１１２Ｄ４間の発光中心が第１焦点Ｌ１の近傍となるように配置される。
そして、発光管１１２Ｄを点灯すると、発光部１１２Ｄ１から放射された光は、反射部１１４Ｄ２の反射面１１４Ｄ３で反射されて、楕円面リフレクタ１１４Ｄの第２焦点Ｌ２に収束する収束光となる。楕円面リフレクタ１１４Ｄから射出される光束の中心軸は光源
光軸１１０Ｄａｘと略一致する。
【００８１】
このとき、楕円面リフレクタ１１４Ｄの第２焦点Ｌ２と発光管１１２Ｄの先端側の封止部１１２Ｄ３における先端の端部とを結ぶ境界線Ｌ３及び境界線Ｌ４で示される円錐の内側部分は、楕円面リフレクタ１１４Ｄで反射された光が封止部１１２Ｄ３によって遮られて第２焦点Ｌ２に光を届けることができない、光利用不可能領域となる。言い換えれば、楕円面リフレクタ１１４Ｄの第２焦点Ｌ２と発光管１１２Ｄの先端側の封止部１１２Ｄ３における先端の端部とを結ぶ境界線Ｌ３及び境界線Ｌ４とは、楕円面リフレクタ１１４Ｄで反射され第２焦点Ｌ２へとたどりつく光のうち封止部１１２Ｄ３によって遮られる光線との境界の境界光線である。
【００８２】
このような楕円面リフレクタ１１４Ｄに発光管１１２Ｄを固定する際には、発光管１１２Ｄの後側の封止部１１２Ｄ２を楕円面リフレクタ１１４Ｄの挿入孔１１３に挿入し、発光部１１２Ｄ１内の電極１１２Ｄ４，１１２Ｄ４間の発光中心が楕円面リフレクタ１１４Ｄの第１焦点Ｌ１の近傍となるように配置し、挿入孔１１３内部にシリカ／アルミナを主成分とする無機系接着剤を充填する。
また、反射部１１４Ｄ２の光軸方向寸法は、発光管１１２Ｄの長さ寸法よりも短くなっていて、このように楕円面リフレクタ１１４Ｄに発光管１１２Ｄを固定すると、発光管１１２Ｄの前側の封止部１１２Ｄ３が楕円面リフレクタ１１４Ｄの開口部から突出する。
【００８３】
補助ミラー１１６Ｄは、発光管１１２Ｄの発光部１１２Ｄ１の前側略半分を覆う反射部材であり、図９に示すように、内面側が球面状の反射面１１６Ｄ１とされ、外周面１１６Ｄ２が反射面１１６Ｄ１の曲率に倣うような曲面状に構成された椀形状に構成されている。なお、この反射面１１６Ｄ１には、誘電体多層膜を成膜することにより反射膜が形成され、この反射膜は楕円面リフレクタ１１４Ｄの反射面１１４Ｄ３と同様にコールドミラーとなっている。
【００８４】
また、補助ミラー１１６Ｄの椀形状の底面部分には開口部１１６Ｄ３が形成され、この開口部１１６Ｄ３の内周面は、後述するが、封止部１１２Ｄ３との固定用接着剤が充填される接着面１１６Ｄ４とされる。
さらに、補助ミラー１１６Ｄの椀形状の上端側端面（図９（ｂ）中、左側端面）は、反射面１１６Ｄ１の端縁から外周面１１６Ｄ２の端縁に向かって次第に椀形の高さが小さくなる傾斜面１１６Ｄ５とされている。
傾斜面１１６Ｄ５は、図１０（ａ）に示すように、光源光軸１１０Ｄａｘの基端側と、発光部１１２Ｄ１から放射され直接楕円面リフレクタ１１４Ｄに入射する光束とがなす最大角度θに沿って傾斜する円錐台形状である。尚、最大角度θは、発光部１１２Ｄ１から射出され直接楕円面リフレクタ１１４Ｄに入射される光とがなす最大の角度であり、楕円面リフレクタ１１４Ｄの光源光軸１１０Ｄａｘ方向の長さを短くするために、１０５°以下とするのが好ましい。
【００８５】
このような補助ミラー１１６Ｄは、石英、アルミナセラミックス等の無機系材料から、又は、石英、ネオセラム（シヨツト日本株式会社の登録商標）等の結晶化ガラス、サファイア、アルミナセラミックス等の材料からなり、具体的には、図９（ｂ）に示すように、外径Ｄ１、内径Ｄ２の厚肉の円筒状部材１１６Ｄ６を研磨加工することにより製造することができる。
まず、円筒状部材１１６Ｄ６の一方の端面を凹曲面状に研磨して反射面１１６Ｄ１を形成した後、この反射面１１６Ｄ１に倣うように凸曲面状の外周面１１６Ｄ２を研磨し、傾斜面１１６Ｄ５の研磨を行う。最後に、反射面１１６Ｄ１に例えば五酸化タンタル（Ｔａ２Ｏ５）及び二酸化珪素（ＳｉＯ２）による誘電体多層膜を蒸着形成する。
【００８６】
発光管１１２Ｄの発光部１１２Ｄ１に対する補助ミラー１１６Ｄの取付位置は、図１０（ａ）に示すように、光源光軸１１０Ｄａｘの基端側と、発光部１１２Ｄ１から放射され直接楕円面リフレクタ１１４Ｄに入射する光束とがなす最大角度θに沿って傾斜面１１６Ｄ５が配置されるような位置で、かつ、境界線Ｌ３及び境界線Ｌ４で示される円錐から外周面１１６Ｄ２がはみ出さない光源光軸１１０Ｄａｘの直交方向位置とする。
【００８７】
また、実施形態５においては、傾斜面１１６Ｄ５は最大角度θに沿った傾斜面としているが、図１０（ｂ）に示すように、補助ミラー１１６Ｅの反射面１１６Ｅ１に入射されず補助ミラー１１６Ｅの端面１１６Ｅ５によって遮蔽される光の量が少ないのであれば、補助ミラー１１６Ｅの端面１１６Ｅ５を光源光軸１１０Ｄａｘと直交する面として構成してもよい。
【００８８】
補助ミラー１１６Ｄの発光管１１２Ｄへの固定は、図１１（ａ）に示すように、接着面１１６Ｄ４及び発光管１１２Ｄの先端側の封止部１１２Ｄ３の外周面の間に接着剤１１７を介在させて補助ミラー１１６Ｄを接着固定する。なお、接着剤１１７は、補助ミラー１１６Ｄの外周面１１６Ｄ２に盛り上げるように塗布する。接着剤１１７の材質としては、発光管１１２Ｄを楕円面リフレクタ１１４Ｄに接着固定する場合と同様に、シリカ／アルミナ系の無機系接着剤を採用することができる。
接着剤１１７は、図１１（ａ）及び図１１（ｂ）に示すように、光源光軸１１０Ｄａｘ回りに間欠的に塗布してもよく、図１２（ａ）及び図１２（ｂ）に示すように、光源光軸１１０Ｄａｘ回り全周に塗布してもよい。
【００８９】
以上説明したように、実施形態５に係るプロジェクタ１０００Ｅにおいては、補助ミラー１１６Ｄは、発光管１１２Ｄに対する位置調整がなされた後に発光管１１２Ｄに固定されている。このため、発光管１１２Ｄに対する補助ミラー１１６Ｄの取り付け位置を調整して、発光管１１２Ｄのばらつきを吸収すべく調整した後、補助ミラー１１６Ｄが発光管１１２Ｄに固定されることになるため、固定後の補助ミラー１１６Ｄは発光管１１２Ｄから被照明領域側に放射された光を常に正しく発光管１１２Ｄの発光部（発光中心）に向けて反射するようになる。その後、発光管１１２Ｄの発光部を通過した光は、楕円面リフレクタ１１４Ｄで反射されてインテグレータロッド１２０Ａ（図示せず。）の光入射面に正しく到達するため、光利用効率が低下したり迷光レベルが増加したりすることがなくなる。
【００９０】
また、実施形態２に係るプロジェクタ１０００Ｄにおいては、補助ミラー１１６Ｄは、発光管１１２Ｄにおける楕円面リフレクタ１１４Ｄの反対側の封止部１１２Ｄ３に固定されている。このため、発光管１１２Ｄに対して補助ミラー１１６Ｄの位置調整を行い、その後発光管１１２Ｄに対して補助ミラー１１６Ｄを固定する作業を容易に行うことができる。
【００９１】
以上、本発明のプロジェクタを上記の各実施形態に基づいて説明したが、本発明は上記の各実施形態に限られるものではなく、その要旨を逸脱しない範囲において種々の態様において実施することが可能であり、例えば次のような変形も可能である。 
【００９２】
上記実施形態１に係るプロジェクタ１０００Ａは、１枚のマイクロミラー型変調装置を備えた単板のプロジェクタをフルカラーのプロジェクタにするためのカラーホイールとして、インテグレータロッド１２０Ａの光射出面側に配置されたカラーホイール１３０を用いたプロジェクタであるが、本発明はこれに限られず、インテグレータロッドの光入射面側に配置されたカラーホイールを用いたプロジェクタであってもよい。
【００９３】
上記実施形態１に係るプロジェクタ１０００Ａは、１枚のマイクロミラー型変調装置を備えた単板のプロジェクタであるが、本発明はこれに限られず、２枚又はそれ以上のマイクロミラー型変調装置を備えたプロジェクタであってもよい。
【図面の簡単な説明】
【００９４】
【図１】実施形態１に係るプロジェクタ１０００Ａを説明するために示す図。
【図２】実施形態１に係るプロジェクタ１０００Ａにおける照明装置１００Ａを説明するために示す図。
【図３】比較例に係るプロジェクタにおける照明装置１００ｂを説明するために示す図。
【図４】実施形態２に係るプロジェクタ１０００Ｂにおける照明装置１００Ｂを説明するために示す図。
【図５】実施形態３に係るプロジェクタ１０００Ｃを説明するために示す図。
【図６】実施形態４に係るプロジェクタ１０００Ｄを説明するために示す図。
【図７】実施形態５に係るプロジェクタ１０００Ｅにおける光源装置１１０Ｄの断面図。
【図８】光源装置１１０Ｄにおける発光管１１２Ｄと補助ミラー１１６Ｄとを説明するために示す図。
【図９】補助ミラー１１６Ｄを説明するために示す図。
【図１０】発光管１１２Ｄに対して補助ミラー１１６Ｄがどのように取り付けられているかを示す図。
【図１１】発光管１１２Ｄに対して補助ミラー１１６Ｄがどのように取り付けられているかを示す図。
【図１２】発光管１１２Ｄに対して補助ミラー１１６Ｄがどのように取り付けられているかを示す図。
【図１３】従来のマイクロミラー型変調装置を備えたプロジェクタ１０００ａを説明するために示す図。
【符号の説明】
【００９５】
１００Ａ，１００Ｂ，１００ａ，１００ｂ…照明装置、１００Ａａｘ，１００Ｂａｘ，１００ａａｘ，１００ｂａｘ…照明光軸、１１０，１１０Ｄ，１１０ａ…光源装置、１１０Ｄａｘ…光源光軸、１１２，１１２Ｄ，１１２ａ…発光管、１１２Ｄ１…発光部、１１２Ｄ２，１１２Ｄ３…封止部、１１２Ｄ４…電極、１１２Ｄ５…金属箔、１１２Ｄ６…リード線、１１３…挿入孔、１１４，１１４Ｄ，１１４ａ…楕円面リフレクタ、１１４Ｄ１…首状部、１１４Ｄ２…反射部、１１６，１１６Ｄ…補助ミラー、１１６Ｄ１，１１６Ｅ１…反射面、１１６Ｄ２…外周面、１１６Ｄ３…開口部、１１６Ｄ４，１１６Ｅ４…接着面、１１６Ｄ５…傾斜面、１１６Ｅ５…端面、１１６Ｄ６…円筒状部材、１２０Ａ，１２０Ｂ，１２０ａ，１２０ｂ…インテグレータロッド、１２２Ａ，１２２Ｂ…凸レンズ、１２４Ａ，１２４Ｂ…光均一化光学要素、１３０…カラーホイール、１３０ａａｘ…回転軸、１４０，１４０Ｃ，１４０ａ…リレー光学系、１４２…リレーレンズ、１４４…反射ミラー、１６０，１７０…反射光学系、１６２…平行化レンズ、１６４…反射ミラー、３９０…フィールドレンズ、４００，４００ａ…マイクロミラー型変調装置、４１０，４１０Ｒ，４１０Ｇ，４１０Ｂ…液晶装置、５００…クロスダイクロイックプリズム、６００，６１０，６００ａ…投写光学系、６００ａｘ，６００ａａｘ…投写光軸、７００…色分離光学系、１０００Ａ，１０００Ｃ，１０００Ｄ，１０００ａ…プロジェクタ、Ｂｉ…インテグレータロッドの光入射面における照明光束、Ｂｏ…インテグレータロッドの光射出面における照明光束、Ｄ１…外径、Ｄ２…内径、Ｌ１…第１焦点、Ｌ２…第２焦点、Ｌ３，Ｌ４…境界線、ＳＣＲ…スクリーン
【図５】
2006106526.tif 000003
【図６】
2006106526.tif 000004
【図７】
2006106526.tif 000005
【図８】
2006106526.tif 000006
【図９】
2006106526.tif 000007
【図１０】
2006106526.tif 000008
【図１１】
2006106526.tif 000009
【図１２】
2006106526.tif 000010
【図１３】
2006106526.tif 000011
【図１】
2006106526.tif 000012
【図２】
2006106526.tif 000013
【図３】
2006106526.tif 000014
【図４】
2006106526.tif 000015